(57)【要約】【課題】発売記念イベントの開催を、円滑に遂行することである。【解決手段】商品に同封する応募券であって、懸賞への応募ＩＤを表示したものを作成手段と、イベントへの応募を受け付けるＷＥＢページを訪れる応募者から、少なくとも、応募券の応募ＩＤと、応募者が有する携帯通信機のメール・アドレスとの入力を受け付ける手段と、応募者の中から当選者が選ばれたときに、当選した応募者が有する携帯通信機のメール・アドレスに対し、採番した入場整理番号を表示する当選通知メールを送信する手段と、イベント会場において、当選者が持参する前記応募券の応募ＩＤに基づいて、当選者を認証する手段とを具備する懸賞応募及び当選者認証システムにより構成される。【選択図】図１
2004038666.tif 000002
【特許請求の範囲】
【請求項１】
商品に同封する応募券であって、懸賞への応募ＩＤを表示したものを作成手段と、イベントへの応募を受け付けるＷＥＢページを訪れる応募者から、少なくとも、応募券の応募ＩＤと、応募者が有する携帯通信機のメール・アドレスとの入力を受け付ける手段と、応募者の中から当選者が選ばれたときに、当選した応募者が有する携帯通信機のメール・アドレスに対し、採番した入場整理番号を表示する当選通知メールを送信する手段と、イベント会場において、当選者が持参する前記応募券の応募ＩＤに基づいて、当選者を認証する手段とを具備する懸賞応募及び当選者認証システム。
【発明の詳細な説明】
【０００１】
【発明の属する技術分野】本発明は、懸賞応募及び当選者認証システムの技術分野に属する。
【０００２】
【従来の技術】ＣＤ（当明細書において、ＣＤ、ＤＶＤ、写真集などのアーティストやタレントが関与する音楽、映像、写真を収録した商品を、単にＣＤと総称する。）の購入者向けに、レコード・メーカーは販促のために発売記念イベントを開催することがある。懸賞主催者は、とりわけ初回生産分のＣＤパッケージに、限定特典として、イベント会場へ入場する権利が当たる応募券や応募はがきを同梱する。この懸賞付きＣＤの購入者は、官製はがきに応募券を貼ったり、専用の応募はがきに所定事項を記入したりして、懸賞に応募する。懸賞主催者は応募期間終了後の抽選日に応募者の中から抽選を行い、必要が有れば当選者を発表した上で、当選はがきを、若しくは招待状入りの封書を送付するなどする。イベント当日において、当選者は当選はがきや招待状を持参し、イベント会場へ入場し、主に小〜中規模のホールにおいて、当該アーティスト・タレントの歌、トーク、握手会、撮影会などに興じる。一般に、購入者からの応募に際しては、アンケートが実施される場合が多く、懸賞主催者の下に応募はがき等が届くと、データ入力を行い、アンケート結果を分析した。
【０００３】
【発明が解決しようとする課題】イベントを企画すると、「ＣＤを買ったのに応募券が入っていなかった。」などと嘘をついて、ＣＤの発売元へ応募券をねだる者が出た。また、懸賞で当たった招待状などをネットオークションにかけたり、チケット屋に高値で売りさばいたりする者や、或いは、偽造招待状を作成して不正入場を試みる者が出た。さらに、熱狂的なファンの中には、イベント会場での場所取りのために、会場入り口付近に長蛇の列を作り、徹夜で並ぶ者がいて、時折、並び順の問題などで深夜・早朝にトラブルを起こす者も出た。本発明の課題は、ファンが殺到するイベント開催に伴う混乱を解消して、未成年者の非行や会場近隣への迷惑行為を防止することである。
【０００４】また、本発明の他の課題は、消費購買者による懸賞応募の際に、応募はがきの作成及び投函という煩わしさを排除すること、郵便料金の費用を削減すると共に、郵便事情による当日までの招待状未着問題を解決すること、およそ一万から数十万単位の応募を受け付けたり、アンケート結果を電子化したりする人手による作業負担を軽減することであり、これらにより、応募者の一元管理を実現し、応募の際に実施するアンケートを利用した消費購買者のニーズ動向分析や、懸賞主催者による消費購買者のニーズに応じたきめ細かなサポートを容易にし、そして、懸賞主催者への顧客満足度の向上に寄与すると同時に、より良い製品やサービスの開発に活用することを可能にすることである。
【０００５】
【課題を解決するための手段】本発明によれば、上述の課題は、前記特許請求の範囲に記載した手段にて達成される。すなわち、本発明は、商品に同封する応募券であって、懸賞への応募ＩＤを表示したものを作成手段と、イベントへの応募を受け付けるＷＥＢページを訪れる応募者から、少なくとも、応募券の応募ＩＤと、応募者が有する携帯通信機のメール・アドレスとの入力を受け付ける手段と、応募者の中から当選者が選ばれたときに、当選した応募者が有する携帯通信機のメール・アドレスに対し、採番した入場整理番号を表示する当選通知メールを送信する手段と、イベント会場において、当選者が持参する前記応募券の応募ＩＤに基づいて、当選者を認証する手段とを具備する懸賞応募及び当選者認証システムである。
【０００６】
【発明の実施の形態】図１に、本発明の実施の形態の概要説明図を示す。図１において、懸賞主催者は、懸賞企画を決定すると、応募ＩＤが印刷された応募券の納品を指示し、若しくは、コンピュータによる応募ＩＤの発行を受け、これにより印刷工場に応募券の印刷を指示する。新譜を製造する工場では、この応募券を新譜に封入して出荷し、小売店に納入する。この新譜の購入者は、封入してあるイベント応募券を読み、その応募要綱に従ってインターネットに接続し、自己の携帯電話機に、プロフィール、アンケート、応募ＩＤなどを入力し、応募手続きを行う。
【０００７】図２に、応募券のサンプル例を示す。図２の応募券は、直径約１２センチメートルのアルバムをパッケージするプラスチックケースに収まる大きさであり、印刷された折り曲げ線に沿って二つ折りにすると、財布に入る大きさになる。アルバム購入者が、自己の携帯電話機を操作してインターネットに接続し、応募券に印刷された応募ＵＲＬの場所を指定すると、応募を受け付けるＷＥＢページが携帯電話機のディスプレイに表示される。
【０００８】応募する場合、まず、そのＷＥＢページより、購入者の住所、年齢、性別、職業などのプロフィールを入力し、さらに、その携帯電話機のメール・アドレスを入力する。つぎに、アンケートとして、いつもＣＤをどこでどの程度買うかとか、購入したアルバムやそのアーティストに対する感想などを入力する。続いて、応募券に印刷された応募ＩＤを入力する。最後に、熱心なファンへの謝意を表して、選択により、そのアーティストの画像データをダウンロードするサービスを受ける。
【０００９】図２に示すように、応募ＩＤは、上六桁及び下六桁の文字・数字・記号等が組み合わされている。この上下に分割された応募ＩＤに対応するバーコードが、同じく上下に印刷されている。応募ＩＤを複数個として、バーコードの複写を困難なものとしている。
【００１０】図１において、購入者が応募手続きを終えると、ＷＥＢサーバーには、アンケート結果が蓄積されると共に、応募者の応募ＩＤとメール・アドレスとが登録される。応募期間が終了したときに応募者が多数であった場合には、抽選後、当選者に対して当選通知メールが、落選者に対して落選通知メールがそれぞれ送信される。この通知メールは、応募者が所持する携帯電話機のメール・アドレス宛に配信される。
【００１１】図３に、通知メールの説明図を示す。図３において、当選通知メールの本文冒頭には、応募者氏名及び応募者メール・アドレスが表示されている。次に、当選結果を通知するメッセージが、続いて、入場整理番号とイベント詳細情報が、最後に、入場に当たっての注意事項が表示されている。注意事項には、「当日会場にお越しの際には応募券とこの当選通知メールを受け取った携帯電話をお持ち下さい。・・・」とあり、応募券と携帯電話とが必携である旨を伝えている。一方、落選通知メールの本文冒頭には、応募者氏名及び応募者メール・アドレスが表示され、次に、落選結果を通知するメッセージが表示されている。
【００１２】図１に示すように、当選者は、イベント当日に応募券を持参してイベント会場において入場チェックを受ける。イベント会場では、係員などから、入場整理番号順に入場するようにとの指示があるので、来場者は、携帯電話の当選通知メールを呼び出し、入場整理番号を確認し、その整理番号順に並び、入場する。入場するときには、係員に応募券を提示し、係員は、応募券に印刷された応募ＩＤのバーコードをバーコードリーダーで読み取る。ここで、応募ＩＤが当選したものか否かがチェックされると共に、読み取った応募ＩＤに対応する入場整理番号が検索され、検索結果が係員の端末に表示される。係員は、来場者の携帯電話機のディスプレイに表示された当選通知メールの入場整理番号を参照し、応募ＩＤと入場整理番号とのチェックによって、当選者の認証を行う。
【００１３】商品に同梱される応募券は、当選はがきや招待状とは異なり、外見からでは当落の判断が不能であるから、ネットオークションやチケット屋への売却、並びにダフ屋行為が極めて困難となる。
【００１４】他人の応募券を不正に入手しても、その他人が既に応募手続きを完了していた場合には、二重の応募登録を検出することによって不正応募を排除できる。
【００１５】当選通知メールと共に、応募券の実物も要求するため、イベントへの入場を、実際の購入者に限定することができる。
【００１６】
【発明の効果】以上説明したように、本発明による懸賞応募及び当選者認証システムによれば、応募券と、通知メールとを組み合わせて当選者を認証するので、未成年者や熱狂的なファンが集う発売記念イベントなどの企画・開催を、大きな混乱を起こすこと無く、円滑に遂行することができる。
【図面の簡単な説明】
【図１】本発明の実施の形態の概要説明図
【図２】応募券のサンプル例を示す図
【図３】通知メールの説明図
【図１】
2004038666.tif 000003
【図２】
2004038666.tif 000004
【図３】
2004038666.tif 000005